(57)【特許請求の範囲】
【請求項１】
化粧品パレットと選択機構との組み合わせ物であって、
化粧品パレットが、少なくとも４つの化粧製品を隣り合った配置で収容する平らな面を含み、前記化粧製品の全てが、それぞれ２〜８個の化粧製品を有する少なくとも２つのグループに分けて配置され、
選択機構がカードを含み、前記カードが、
化粧スタイルの表示と、
前記カード上に位置する少なくとも２つの指示であって、前記カードが前記化粧品パレット上に置かれた際に、前記指示の全てが同じグループの異なる製品と同時に位置合わせされ、同じグループから製品のサブセットが特定される、前記少なくとも２つの指示と、
化粧スタイルを実現するために製品のサブセットを使用する方法のインストラクションと
を有し、
前記カードは、製品の異なるサブセットが特定できるように、化粧製品上をスライド可能である、
組み合わせ物。
【請求項２】
製品のサブセットを使用する方法のインストラクションが、製品を適用する順序、及び製品を適用する位置を含む、請求項１に記載の組み合わせ物。
【請求項３】
カードが少なくとも４つの指示を含む、請求項１に記載の組み合わせ物。
【請求項４】
カードが平らなカードからなり、指示が平らなカードの透明な区画に位置する、請求項３に記載の組み合わせ物。
【請求項５】
平らな面が、少なくとも２つのグループに分けて配置された少なくとも２０個の化粧製品を収容し、それにより、各グループ内の製品が、化粧スタイルの１つ以上のバリエーションを実現するのに十分であり、各グループ内の製品が、選択機構が各グループ内の製品の特定のサブセットを特定できるように相互に位置付けられている、請求項１に記載の組み合わせ物。
【請求項６】
平らな面が、各グループ少なくとも４つの製品からなる少なくとも４つのグループを収容している、請求項５に記載の組み合わせ物。
【請求項７】
隣り合った配置の化粧製品が、平らな面の陥凹部分に配置されている、請求項１に記載の組み合わせ物。
【請求項８】
化粧製品が、陥凹部分に位置するパンに配置されている、請求項７に記載の組み合わせ物。
【請求項９】
化粧製品が、化粧品パレットの平らな面のレベルより高くなっていない、請求項７に記載の組み合わせ物。
【請求項１０】
化粧スタイルの表示が、メークアップする身体部位のグラフィック描写を含む、請求項９に記載の組み合わせ物。
【請求項１１】
化粧スタイルを実現するために製品のサブセットを使用する方法のインストラクションが、製品を適用する順序及び製品を適用する位置を表示する、文章及び／又はグラフィックを含む、請求項９に記載の組み合わせ物。
【請求項１２】
少なくとも１つの追加の選択機構をさらに含み、各選択機構が、予め規定された異なる化粧スタイルに対応する、請求項１に記載の組み合わせ物。
【請求項１３】
化粧品パレットのカバーをさらに含み、化粧品パレットがベース中に置かれている、請求項９に記載の組み合わせ物。
【発明の詳細な説明】
【技術分野】
【０００１】
本発明は、１つ以上のセレクター機構と化粧品パレットとの組み合わせ物、及びその使用の方法を対象とする。
【背景技術】
【０００２】
メークアップは、適正に施されれば、同じ顔に無限と思われる様々な「スタイル」を実現できる。化粧において、「スタイル」は、個性、感情、考え方、効果、又はこれらのもしくは他の印象の任意の組み合わせを伝達する他とは異なる外観である。スタイルは、２、３例を挙げると、親しみやすい、穏やかである、激しい、情熱的な、プロ意識が強い、聡明である、内気である又はセクシーであるというような個性を伝達する場合がある。一部のスタイルは、感情、例えば、喜び、悲しみ、快活さ、怒り、恐れ、勇敢さ又は笑いを伝達する。一部のスタイルは、考え方、例えば、主体性、若さ又は成熟性を伝達する場合がある。メークアップで所望のスタイルを実現するには、技術が必要である。平均的な化粧品の消費者は、スタイルを実現するのに必要な技術を持たない。さらに、流行はいつしか過ぎ去り、新しいスタイルはすぐに移り変わる。平均的な消費者には、今季の好ましいスタイルを実現する方法についていく時間がない。さらに、どのようなスタイルにも多くのバリエーションがある。同じ全体像でも、様々な陰影の組合せにより実現可能である。選択される陰影は、使用者の皮膚色調及び皮膚のタイプによって決まる場合がある。したがって、使用者は、自身の皮膚のスタイルの最良のバリエーションを決定するのに助けが必要である。
【０００３】
最も洗練されたスタイルのいくつかは、種々の陰影の化粧製品を皮膚に載せることによって実現される。陰影を互いに隣接して配置してもよいし、又は皮膚上で一緒に混ぜ合わせてもよい。化粧品の消費者が特定の化粧スタイルを実現できるようにするために、多数の色の化粧製品を、色のパレットとして隣り合って配置させて単一のパッケージで販売することもできる。しかし、所望のスタイルを実現するために化粧品の複数の陰影を使用することは、経験がほとんどない使用者にとっては簡単でない。数色の基本色だけでも、実現可能な陰影及び色調の階調の数は計り知れない。どの陰影をどのような量でどのような順序で顔のどの部分に使用すべきかという疑問は、容易には明らかにならない。この決定は非常に創造的なプロセスであり、化粧品の消費者は通常、プロのメークアップアーティストと同レベルの仕上がりを実現できないか、又は仕上がりの再現に苦労する可能性がある。化粧品の使用者が、所望のスタイル、そして自身の皮膚及び顔の造作に基づき最良のスタイルのバリエーションを選択するのを手助けし、次いでそのスタイルを実現するように使用者を導くメークアップパレットとセレクターツールとの組み合わせ物が求められている。本発明は、消費者がより上手に、より一貫して特定のスタイルを実現する助けとなる。本発明はまた、消費者がより自信を持って新しいスタイルを試すことも可能にする。
【発明の概要】
【発明が解決しようとする課題】
【０００４】
前述の記載によれば、本発明の主目的は、美容上許容されると考えられる、予め規定されたスタイルの妥当な数のバリエーションを、消費者に提供する化粧品パレットとセレクター（又は選択）機構との組み合わせ物を提供することである。
【０００５】
別の目的は、消費者が予め規定したスタイルをプロの仕上がりで実現できる可能性を著しく増加させることである。
【０００６】
別の目的は、消費者が所望のスタイルを得るためにメークアップを施せるようにすると同時に、消費者が自身の特有の顔及び顔の造作に合わせてスタイルを微調整できるようにすることである。
【課題を解決するための手段】
【０００７】
本発明は、多数の化粧製品の戦略的な配置を含む。本発明はまた、製品のサブセットを特定するための１つ以上の製品セレクター機構、及び特定の化粧効果又はスタイルを実現する方法の表示を含む。好ましい実施形態において、戦略的な配置は、各製品、すなわちパレット製品にアクセス可能な面を含む。好ましい実施形態において、セレクター機構は、１つ以上のシート又はカードであり、各シート又はカードは、メイクアッププロセスにおいて消費者を導くために、指示を含み、パレットと相互作用するように設計されている。
【図面の簡単な説明】
【０００８】
【図１】本発明による化粧品パレットの第１の実施形態の斜視図である。
【図２】本発明による化粧品パレットの一部分の断面図である。
【図３】図１の化粧品パレットのような化粧品パレットと併用するための製品セレクター機構の一実施形態を示す図である。
【図４】化粧品パレットと併用する図３の製品セレクター機構と同様な製品セレクター機構を示す図である。
【図５】円形に配置されたパレット及び回転セレクター機構の一実施形態を示す図である。
【図６】円形に配置されたパレット及び回転セレクター機構の第２の実施形態を示す図である。
【図７】任意選択のベースに配置され且つ任意選択のカバー及び補助アイテムを有する、本発明による化粧品パレットを示す図である。
【発明を実施するための形態】
【０００９】
本発明は、粘性化粧製品（１ｄ）のパレット（１）と少なくとも１つのセレクター機構（２）とを含む。「化粧品パレット」又は単に「パレット」とは、隣り合って配置された多数の粘性化粧製品を意味する。粘性製品としては、特に顔及び首用の、ハード及びソフトプレストパウダー、並びにクリーム状の唇用及び目用製品を挙げることができる。「粘性」は、製品が自重で流動しない（すなわち自重でその容器からあふれ出ない）ことを意味する。「隣り合った配置」は、粘性化粧製品の開放面が同じ方向を向いていることを意味する。したがって、例えば、ダブルエンドのリップスティックの場合、２つのリップスティックの先端は同じ方向を向いていないので、隣り合っているとは考えない。製品の配置は戦略的であり、本明細書中で定義するセレクター機構（２）と連携するように設計される。
【００１０】
化粧品パレット
図１を参照すると、好ましい実施形態において、化粧品パレット（１）は、多数の化粧製品（１ｄ）を隣り合った配置で支持又は収容する、本質的に平らな面（１ａ）を含む（例えば、１ｆ）。パレットは、任意の好適な構造を有することができるが、多くの実施形態において成形プラスチックが好ましい。一部の好ましい実施形態において、パレットの平らな面は、戦略的に配置された陥凹部分（１ｂ）を有する。各陥凹部分は、化粧製品を保持する。製品は、陥凹部分に直接配置してもよいし（図２の右側に示す）、又は製品は、次に陥凹部に配置される、当技術分野において周知のパン（１ｃ）に配置してもよい（図２の左側に示す）。陥凹部は、パンを受けるような形状にする。好ましくは、各陥凹部の形状は、陥凹部に配置されるパンの形状と相補的である。好ましくは、陥凹部にパンを保持し且つパンが意図せずに外れるのを防ぐ手段を施す。例えば、パンを陥凹部に接着させてもよいし、又はパンと陥凹部が摩擦による嵌合係合もしくはスナップ式の嵌合係合で一体化していてもよい。例えば、陥凹部（１ｂ）の開口部（１ｅ）は、パンよりわずかに小さくし得る（図２を参照）。パンは、開口部から陥凹部に押し込むことができるが、意図せずに元に戻ることはない。パンは、パレットに永久的に取り付けてもよい。これは、高強度の接着剤を用いることによって行えるであろう。あるいは、ことによるとパンを補充するか又は新しいパンと交換するために、パンは取り外し可能であるように設計してもよい。交換可能なパンは、比較的低強度の接着剤を用いることによって又はパンと陥凹部との何らかの好適な機械的係合によって実現できる。例えば、陥凹部（１ｂ）の開口部（１ｅ）は、パンよりわずかに小さくし得る。パンは意図せずに陥凹部から脱落する可能性はないが、必要に応じて陥凹部から取り除くことができるであろう。
【００１１】
パレット（１）のパン（１ｃ）及び／又は陥凹部（１ｂ）は、任意の好適な形状であることができる。例えば、図１で示すように、化粧品用パンは、典型的には円形、長方形（正方形を含む）、三角形、楕円形等である。あるいは、パンは不規則形状又は自由形状であってもよい。パン及び／又は陥凹部の形状は、パレット上の空間を効率的に利用するように及び製品の所望の配置を実現するように選択できる。パンの寸法は、化粧品包装に使用される典型的な寸法である。明白にするために、本発明の一部の好ましい実施形態において、パン又は陥凹部は、場合によっては、製品の開放面（１ｆ）が、パレット（１）の面（１ａ）のレベルより高くならないように充填する（図２を参照）。他の好ましい実施形態において、これは必要ではない。
【００１２】
パレットの寸法は、消費者の使いやすさ、及び供給業者が消費者に提示したい製品の数によってのみ限定される。パレットの寸法は、４個の戦略的に配置された製品、好ましくは少なくとも８個、より好ましくは少なくとも１２個の戦略的に配置された製品、最も好ましくは少なくとも２０個の製品を収容するのに少なくとも十分である。製品は、同じ種類で色もしくは陰影のみが異なるものであってもよいし、又は異なる種類のものであってもよい。例えば、パレットは、１種類のパウダーファンデーション製品の２０種の異なる色又は陰影を収容できる。又は、例えば、パレットは、ファンデーション、ブラッシャー、コンシーラー、リップスティック、リップライナー、アイライナー、アイシャドウ、マスカラ製品、もしくは自重でそれほど流動しない任意の他のメークアップ製品を収容することもできる。パレットは、使用者が当技術分野において周知のそれらのうちの好適な化粧用アプリケーターを用いて、パレットに支持されている各製品の開放面にアクセスできるようなものである。
【００１３】
製品のグループ
好ましくは、化粧製品は、少なくとも２つのグループに分けて戦略的に配置される。「戦略的に配置される」とは、各グループ内の製品が、指定したスタイルの１つ以上のバリエーションを実現するのに十分であること、及び本発明による選択機構が１つのグループ内の製品の特定のサブセットを特定できるように各グループ内の製品を相互に位置付けることを意味する。一部の好ましい実施形態において、各グループ内の製品は、グループ内の任意の数の製品に迅速に逐次アクセスできるように相互に位置付けられる。好ましくは、製品グループは、使用者には目で見て明らかであり、したがって、１つのグループの製品は、異なるグループの製品と不注意に接触させずに利用されることになる。例えば、図１には、５つのグループの製品がある。各グループは、同じ形状の製品の横列（１ｇ）である。あるいは、図１は、異なる形状の製品の各縦列（１ｈ）が１つのグループである５つのグループの製品を表すこともできるであろう。しかし、パレット上の各製品は、１つのグループにのみ属するべきである。
【００１４】
パレットは、少なくとも２つのグループの化粧製品、好ましくは少なくとも３つのグループの、より好ましくは少なくとも４つのグループの、優先度を増しながら少なくとも１０個のグループまでの製品を収容する。各グループ内には少なくとも２つの製品がなければならない。好ましくは、ほとんどのグループに同じ数の製品がある。好ましくは、少なくとも２のグループに少なくとも４つの製品があり、より好ましくは、少なくとも２つのグループに少なくとも５つの製品があり、優先度を増しながら少なくとも２つのグループに少なくとも８個までの製品がある。
【００１５】
記載した制限内で、４つの製品は、各グループ２製品の２つのグループに分けて配置される。６つの製品は、各グループ３製品の２つのグループ又は各グループ２製品の３つのグループ等に配置できると予想される。以下の表は、記載した制限内で可能な配置の一部の例を列挙する。凡例は、記載した制限内で、本発明によるパレットの一部の好ましい実施形態がどの程度好ましいかを特定する。
【００１６】
【表１】
0006277205.tif 000002
【００１７】
セレクター機構
本明細書中に記載する化粧品パレットと併用するために設計したセレクター機構（２）は、製品及び陰影が選択されるように使用者を導き、それらの製品の適用において特定の「スタイル」が実現されるように使用者に指示する。一般に、各セレクター機構は、化粧「スタイル」に対応する。各セレクター機構は、パレット上の１グループの製品内で製品の１つ以上のサブセットを特定することができる。セレクター機構によって特定される製品の各サブセットは、そのスタイルのバリエーションに対応する。使用者は、どのバリエーションを実施するかを自由に選択できる。
【００１８】
一部の好ましい実施形態において、セレクター機構（２）は、化粧品パレット（１）の上に重なってパレット上をあちこち移動させることができる平らなカードである。図３を参照すると、セレクター機構は、少なくとも２つの指示（２ｂ）を有するプラスチックカード（２ａ）である。指示の数は、カード上で表示されるスタイルを実現するために化粧品パレットから使用される製品の数に等しい。パレット上の特定のグループ（１ｇ）の製品にカードを載せると、各インデックスがそのグループの異なる製品（１ｄ）と同時に位置合わせできるように、指示をカード上に位置付ける。表示された製品は、所望のスタイルの１つのバリエーションに対応する製品の１つのサブセットを規定する。
【００１９】
図３において、指示（２ｂ）は、数字１、２、３及び４である。指示は適宜に間隔をおいて配置して、各インデックスがパレット（１）上の１つの製品（１ｄ）を明白に特定するようにする。セレクター機構（２）によって位置合わせされる製品は、予め規定された同一グループに全て属するべきである。例えば、図４において、使用者は、カード（２ａ）を横向けにすべきではない。そうすると、製品のサブセットが異なるグループから作られ、その場合、所望のスタイルは実現されないであろう。２つ以上の予め規定したグループから使用者が製品を選択しないように、インストラクションを示すことができ、且つ／又はセレクター機構を、規定された向きでのみパレット上のグループと位置合わせするように設計することができる。
【００２０】
好ましくは、これまで記載したセレクター機構は、透明であるか、又は透明な区画を有する。図３において、指示（２ｂ）は、カード（２ａ）の透明な区画（２ｃ）に位置する。これにより、カードを化粧製品（１ｄ）の上に直接載せながら、使用者は陰影を見ることができるようになる。製品の開放面（１ｆ）が化粧品パレット（１）の面（１ａ）より高くならないようにする主な理由は、セレクターを化粧製品の上に直接載せるためである。図４においてカード全体が透明な材料で作られていることを除いては、図４のセレクターカードは図３のセレクターカードと同様である。図４のパレットにおいて、６つの三角形の製品の各横列がグループ（１ｇ）であり、５つのグループがある。セレクターカード（２ａ）は、１、２、３及び４とラベル表示された４つの指示（２ｂ）を有する。したがって、１つのグループ内において、使用者は、カードを横にスライドさせて、全体的なスタイルの３つのバリエーション（サブセット）を特定することができる。使用者がそれらの色の組合せに満足しない場合、使用者はカードを上又は下にスライドさせて、異なるグループの製品に移動することができる。この図には５つのグループの製品があるので、所望のスタイルを実現するための合計１５個のバリエーションが、図４に示されるパレット及びセレクターカードによって提供される。より多くの又はより少ない製品を必要とするスタイルについては、セレクターカードは、より多くの又はより少ない指示を有する。使用者に妥当な数のバリエーションを提供することにより、使用者は自力で所望のスタイルを微調整できるようになる。使用者の満足のいくようにセレクター機構を化粧品パレットと位置合わせしたら、使用者は指示された製品を直ぐに適用して、セレクターカードと関連する又はセレクターカードによって指定されたスタイルを実現できる。
【００２１】
本発明の好ましい実施形態において、セレクターカード（２ａ）又は他の選択機構は、そのカードによって実現可能な、予め規定されたスタイルの表示（例えば、２ｆ）を含み、予め規定されたスタイルを実現するために特定された製品を適用するためのインストラクションを示す。これらのインストラクションは、文章（例えば、２ｄ）及び／又はグラフィック（例えば、２ｅ）であることができる。インストラクションは、製品を適用する順序及び製品を適用する位置を含むべきである。例えば、図３及び４において、指示（２ｂ）は、適用の順序を示す数字１、２、３及び４である。好ましくは、インストラクションは、メークアップする身体部位のグラフィック描写を含む。図３のセレクター機構は、目（２ｅ）を示す。目のグラフィックには、各製品を適用する場所を正確に示すために数字１〜４が付けられ、目のグラフィックはまた、指定されたスタイルを消費者に見えるようにしている。セレクターカード上のインストラクションはまた、セレクターカードが１つ以上の特定のパレットと併用されるように設計されているという表示を含むこともある。インストラクションはまた、メークアップを施すために使用すべきアプリケーター、及び任意の他の化粧用チップを示唆することもある。
【００２２】
図４では、数字１〜４は左から右の順序で隣接した製品を位置合わせしているが、これは必要ではない。特定のスタイルを実現するのに必要な製品は、パレットのレイアウトに応じて、パレット上に間隔をあけて配置されてもよいし、隣接していなくてもよい。その場合、セレクターカードは適宜設計されるであろう。異なる化粧品パレット及びセレクター機構を、図５及び６に示す。
【００２３】
各セレクター機構は１つの予め規定された化粧スタイルに対応するので、本発明の好ましい実施形態は、少なくとも１つの化粧品パレットと複数の異なるセレクター機構とを含む。同じ化粧品パレットと併用するために設計される複数のセレクター機構が１つのセットを形成する。１つのセット内のセレクター機構全てが、必ずしも同じ顔の造作に関係しなくてもよい。すなわち一部のセレクター機構はまぶたのメークアップ用であることができ、一部は頬のメークアップ用であることができ、一部は唇のメークアップ用であることができ、一部はまつげのメークアップ用であることができる等である。１つの化粧品パレットと少なくとも１セットのセレクター機構との組み合わせ物は、本発明の範囲内である。
【００２４】
本明細書中に開示するパレットとセレクター機構との組み合わせ物は、重要な利点を提供する。パレットの製品を戦略的にグループに分けて配置することによって、使用者は、美容上許容されると考えられるスタイルのそれらのバリエーションのみに誘導される。例えば、３０個の製品からなる１つのパレットから４つの製品を選択して適用するためには、２７，０００を超える異なる方法がある。しかし、図４に示す本発明の実施形態において、使用者は、美容上許容されると考えられるそれらの１５の組合せのみに導かれる。予め規定された所望のスタイルをプロの仕上がりで実現する可能性は劇的に増加し、ほぼ確実となる。美容上許容されるバリエーションの数は、必ずしも１５ではなく、パレット中の製品の数、グループ分けの仕方及びセレクター機構によって示されるサブセットの寸法によって異なるが、消費者は、自身が望むスタイルをほぼ確実に実現する妥当な数のバリエーションを常に特定することができることになる。スタイルの妥当な数のバリエーションがあることは、別の重要な利点である。予め規定されたスタイルの１つのバリエーションに必要な、４つの製品のうちの３つだけを消費者に提供することが可能であるが、その１つのバリエーションが全ての消費者にとって最良の効果をもたらすとは限らない。しかし、選択肢となる多数の製品を消費者に示せば、所望のスタイルを実現する方法は困惑を招くはずである。本発明は、消費者が望むスタイルを消費者にもたらすことができると同時に、消費者が自身の特有の顔及び顔の造作に合わせてスタイルを微調整できるようにする。
【００２５】
いくつかの代替的実施形態
図５において、製品（１０ｄ）は円形に配置されている。パレット（１０）自体も円形であるが、円形である必要はない。分割線（１０ｉ）は、グループ間の境界を表示している。好ましくは、製品の円形配置の中心（１０ｊ）は、何らかの方法で印が付けられている。セレクター機構（２０）はパレットの上に重ねられ、製品の円形配置と同心円をなしている。図５において、セレクター機構は平らなディスクとして示されているが、何らかの他の形状であってもよい。セレクター機構は、パレットに対して回転できるようにされている。例えば、ピン又は軸（１０ｋ）が、パレット及びセレクター機構を貫通し得る。軸はパレットに永久的に取り付けることもできるが、異なるディスクを軸上に配置し且つ軸から取り外すことも容易に行える。セレクター機構は、１つのグループ内の製品のサブセットと同時に位置合わせできる指示（２０ｂ）を有する。図５で示されるセレクター機構は、パレット上の製品に重なっていない。この場合、必ずしも製品の開放面（１０ｆ）がパレット表面（１０ａ）より下になっていなくてもよい場合がある。使用者は、セレクターディスクを回転させて、予め規定されたスタイルを作る、許容される製品のサブセットを特定することができる。この実施形態において、文字によるインストラクションが、セレクター機構自体に示されていないが、そのスタイルと調和する推奨されるリップスティックの色が示される。
【００２６】
図６は、円形に配置されたパレット及び回転セレクター機構の第２の実施形態を示している。この場合、指示（２００ｂ）は、選択された製品が全て隣接していないようになっている。グラフィック要素（２００ｅ）は、このセレクター機構が頬及び目の外側のメークアップ用であることを明確に示している。
【００２７】
任意選択の構成要素
場合によっては、パレットは、１つ以上の保管補助アイテム（１ｌ）、例えば、化粧用アプリケーター、ブラシ、スポンジ、鏡等のための空間を提供できる。図１では、陥凹保管トレイ（１ｍ）が設けられている。パレットはまた、パレット中の製品グループのいずれにも属さないが、所望のスタイルの実現に当たって又は単に日常的な使用のために、あれば便利ないくつかのの追加のパーソナルケア製品（１ｎ）を収納することができる。追加の製品は、カラーメークアップ製品であってもなくてもよい。これらは、スキンケア製品、例えば、サンスクリーン製品、モイスチャライザー、メークアップ除去製品、洗浄剤等であることができる。
【００２８】
場合によっては、本発明の一部の好ましい実施形態において、化粧品パレット（１）はベース（３）中に置かれ、化粧品パレット（１）にカバー（４）があってもなくてもよい。ベース及び／又はカバーは、補助メークアップアイテム、例えば、以下：鏡（５）、アプリケーター、パレット（１）と併用するためのセレクター機構、化粧品洗浄剤製品、拭き取り製品、スキンケア製品、例えば、モイスチャライザー、光源（６）、電源、例えば、電池又は蓄電器、再充電手段等のうちの１つ以上を収容する空間を提供できる。光源は、使用者の顔及び／又はパレットを照らすように位置付けることができる。不使用時にパレット上にぴったりと適合してパレットを保護するカバーを、ベースもしくはパレット又は両方と連結されるように装備することができる。カバーは、ヒンジ（４ａ）で連結されていてもいなくてもよく、ラッチ機構（４ｂ）を有していてもいなくてもよい。一部の好ましい実施形態において、カバーは透明であって、化粧製品のグループ分け及び色が、それらの美的効果に関して見えるようになっている。また、カバーは、装飾又は指示もしくはラベルの表示に好適な領域を提供できる。
【００２９】
場合によっては、ベース（３）及び／又はカバー（４）は、一組のセレクターカード（２）を収容するように設計する。新しいスタイルが流行し始めたときには、消費者はセレクターカードの自身のセットを補充することができる。新しいセレクターカードは、化粧品パレットの小売業者もしくは製造業者によって又は何らかの他の供給源によって提供され得る。場合によっては、セレクター機構は、オンラインで入手できるようにし得る。使用者は、１つ以上のセレクター機構を印刷するか又は後で印刷するためにダウンロードすることが可能なウェブサイトにアクセスすることができる。紙に印刷したら、セレクター機構を用いて、スタイルを作るのに必要な製品の適切なサブセットを特定することができるであろう。
【符号の説明】
【００３０】
１  パレット
２  セレクターカード
３  ベース
４  カバー
５  鏡
６  光源
【図１】
0006277205.tif 000003
【図２】
0006277205.tif 000004
【図３】
0006277205.tif 000005
【図４】
0006277205.tif 000006
【図５】
0006277205.tif 000007
【図６】
0006277205.tif 000008
【図７】
0006277205.tif 000009